(57)【要約】【課題】未使用時でのストロー差込部からの液漏れを抑制するとともに、ストローが差し込みやすい飲料用容器の蓋体を提供する。【解決手段】容器本体２の上部開口３に嵌着される合成樹脂シートよりなる蓋本体１０と、前記蓋本体１０の表面に凹部開口２１が凹部内底面２２より大きく形成された逆円錐台状の凹部空間２５を有する円形凹部２０と、前記円形凹部２０の前記凹部内底面２２にレーザー光線のハーフカット加工による易開封部３２よりなる押切予定部３１と前記押切予定部３１と連接する非ハーフカット部３７によって形成された接続部３６とからなるストロー差込部３０とを有する。【選択図】図４
2017114514.tif 000002
【特許請求の範囲】
【請求項１】
容器本体の上部開口に嵌着される合成樹脂シートよりなる蓋本体と、
前記蓋本体の表面に凹部開口が凹部内底面より大きく形成された逆円錐台状の凹部空間を有する円形凹部と、
前記円形凹部の前記凹部内底面にレーザー光線のハーフカット加工による易開封部よりなる押切予定部と前記押切予定部と連接する非ハーフカット部によって形成された接続部とからなるストロー差込部
とを有することを特徴とする飲料用容器の蓋体。
【請求項２】
前記押切予定部の形状がストロー径の大きさと同じまたは大きい径の円形状に形成されている請求項１に記載の飲料用容器の蓋体。
【請求項３】
前記凹部空間の深さ（Ｄ）が２ないし１０ｍｍである請求項１または２に記載の飲料用容器の蓋体。
【請求項４】
前記凹部空間の前記凹部開口の直径と前記凹部内底面の直径との差が２ｍｍである請求項１ないし３のいずれか１項に記載の飲料用容器の蓋体。
【請求項５】
前記凹部空間の前記凹部内底面の直径と前記ストロー差込部の直径との差が２ｍｍ以下である請求項１ないし４のいずれか１項に記載の飲料用容器の蓋体。
【発明の詳細な説明】
【技術分野】
【０００１】
本発明は飲料用容器の蓋体に関し、特にストローを差し込むためのストロー差込部を有する飲料用容器の蓋体に関する。
【背景技術】
【０００２】
例えば、屋台やコンビニエンスストア、ファストフード店、その他の飲料販売店におけるテイクアウト形式の飲料販売では、ＰＥＴ樹脂等の合成樹脂製の使い捨て飲料用容器に適宜の飲料が充填されて提供される。テイクアウト形式の飲料用容器は、購入者が商品を持ち歩くことから、内容物がこぼれるのを防止するために、容器本体の上部開口にＰＥＴ樹脂等の合成樹脂製の蓋体が着脱可能に嵌着される。
【０００３】
テイクアウト形式の飲料用容器において、例えば内容物がジュースやアイスコーヒー等の冷飲料の場合には、喫飲時にストローが用いられることがある。この種の飲料用容器では、蓋体を取り付けたままストローの使用を可能とするために、蓋体にストロー差込部が形成されている（例えば、特許文献１参照。）。蓋体のストロー差込部は、蓋体表面に所定形状（例えば十字状）に切断されて形成されている。そして、ストロー差込部は、喫飲に際してストローが押し当てられることにより、切断部分が押し広げられて開口される。これにより、ストローは簡便に容器本体内へ差し込まれ、喫飲可能となる。
【先行技術文献】
【特許文献】
【０００４】
【特許文献１】特開２００９−２２０８５２号公報
【発明の概要】
【発明が解決しようとする課題】
【０００５】
しかしながら、従来の飲料用容器では、ストロー差込部が切断によって形成されている。そのため、切断部分は貫通状態となっている。このことから、内容物を充填した状態で当該容器を持ち運んだとすると、波打った内容物の液面が蓋体の裏面に接触して貫通状態の切断部分から液漏れが発生するおそれがある。また、ストロー差込部は、蓋体の平面部分に形成される。そのため、使用者がストローを差し込もうとした際に押し当てる位置がずれると、ストローの先端が蓋体の表面を滑ってストローの差し込みを失敗してしまうことがある。
【０００６】
本発明は、前記の点に鑑みなされたものであり、未使用時でのストロー差込部からの液漏れを抑制するとともに、ストローが差し込みやすい飲料用容器の蓋体を提供するものである。
【課題を解決するための手段】
【０００７】
すなわち、請求項１の発明は、容器本体の上部開口に嵌着される合成樹脂シートよりなる蓋本体と、前記蓋本体の表面に凹部開口が凹部内底面より大きく形成された逆円錐台状の凹部空間を有する円形凹部と、前記円形凹部の前記凹部内底面にレーザー光線のハーフカット加工による易開封部よりなる押切予定部と前記押切予定部と連接する非ハーフカット部によって形成された接続部とからなるストロー差込部とを有することを特徴とする飲料用容器の蓋体に係る。
【０００８】
請求項２の発明は、前記押切予定部の形状がストロー径の大きさと同じまたは大きい径の円形状に形成されている請求項１に記載の飲料用容器の蓋体に係る。
【０００９】
請求項３の発明は、前記凹部空間の深さが２ないし１０ｍｍである請求項１または２に記載の飲料用容器の蓋体に係る。
【００１０】
請求項４の発明は、前記凹部空間の前記凹部開口の直径と前記凹部内底面の直径との差が２ｍｍである請求項１ないし３のいずれか１項に記載の飲料用容器の蓋体に係る。
【００１１】
請求項５の発明は、前記凹部空間の前記凹部内底面の直径と前記ストロー差込部の直径との差が２ｍｍ以下である請求項１ないし４のいずれか１項に記載の飲料用容器の蓋体に係る。
【発明の効果】
【００１２】
請求項１の発明に係る飲料用容器の蓋体によると、容器本体の上部開口に嵌着される合成樹脂シートよりなる蓋本体と、前記蓋本体の表面に凹部開口が凹部内底面より大きく形成された逆円錐台状の凹部空間を有する円形凹部と、前記円形凹部の前記凹部内底面にレーザー光線のハーフカット加工による易開封部よりなる押切予定部と前記押切予定部と連接する非ハーフカット部によって形成された接続部とからなるストロー差込部とを有するため、未使用時にストロー差込部から液漏れが抑制され、ストローの差し込みを容易かつ的確に行うことができ、押切予定部が開放時に脱落しない。
【００１３】
請求項２の発明に係る飲料用容器の蓋体によると、請求項１の発明において、前記押切予定部の形状がストロー径の大きさと同じまたは大きい径の円形状に形成されているため、差し込まれたストローは垂直状態に維持されやすくなるとともに、ストローが抜けにくくなる。
【００１４】
請求項３の発明に係る飲料用容器の蓋体によると、請求項１または２の発明において、前記凹部空間の深さが２ないし１０ｍｍであるため、ストローはストロー差込部へ案内されやすくなり、ストローの差込後のストローの傾倒は効果的に規制され、さらに円形凹部は充填された内容物の液面に接触しにくくなる。
【００１５】
請求項４の発明に係る飲料用容器の蓋体によると、請求項１ないし３の発明において、前記凹部空間の前記凹部開口の直径と前記凹部内底面の直径との差が２ｍｍであるため、円形凹部の凹部空間に対してストローが挿入されやすくなるとともに、ストローの傾倒はより適切に規制される。
【００１６】
請求項５の発明に係る飲料用容器の蓋体によると、請求項１ないし４の発明において、前記凹部空間の前記凹部内底面の直径と前記ストロー差込部の直径との差が２ｍｍ以下であるため、ストローの傾倒はより効果的に抑制される。
【図面の簡単な説明】
【００１７】
【図１】本発明の蓋体を備えた飲料用容器の分解斜視図である。
【図２】飲料用容器の蓋体周辺の断面図である。
【図３】ストロー差込時の蓋体の下部側の斜視図である。
【図４】円形凹部周辺の断面図である。
【図５】ストロー差込部の未開放時の概念図である。
【図６】ストロー差込部の開放時の概念図である。
【図７】他の実施形態に係るストロー差込部の平面図である。
【発明を実施するための形態】
【００１８】
図１は、容器本体２の上部開口３に嵌着される蓋体１０を備えた飲料用容器１の分解斜視図である。この飲料用容器１は、例えば、ジュースやアイスコーヒー等の冷飲料が充填され、蓋体１０により容器本体２が封止された状態でストローの使用が可能な容器である。この飲料用容器１の内容物は、前記のジュースやアイスコーヒーの他、お茶、スポーツ飲料、ミルクセーキ、スムージー、タピオカ含有飲料等の適宜の飲料が選択される。
【００１９】
この飲料用容器１は、例えば、屋台やコンビニエンスストア、ファストフード店、その他の飲料販売店において、テイクアウト形式の飲料を販売する際に提供される容器として好適に用いられる。そこで、飲料用容器１は、安価で成形（量産）が容易であり、衛生的で扱い易い材料として、合成樹脂シート（熱可塑性樹脂シート）から形成される。具体的には、ポリエチレンテレフタレート（ＰＥＴ樹脂）、ポリエチレン、ポリプロピレン、ポリスチレン等の公知の合成樹脂シートである。この容器１は、真空成形等の公知の成形方法により成形される。なお、容器本体２と蓋体１０との組み合わせにおいて、両者を同一の材料で形成してもよいし、互いに異なる材料としてもよい。異なる材料とする場合において、容器本体２は上記の材料に限らず、紙製、さらにはガラス製、陶磁器製等としてもよい。
【００２０】
飲料用容器１において、容器本体２及び蓋体１０の厚さは、コスト、成形容易性、強度等の観点により適宜に決定される。蓋体１０は、容器本体２と比較して強度を必要としないことから厚さを容器本体２より薄く設定することが可能であり、例えば０．１５ないし０．８ｍｍが好ましい。蓋体１０の厚さが０．１５ｍｍより薄いと強度が不十分となるおそれがあり、０．８ｍｍより厚いと曲げやすさが悪くなる。
【００２１】
容器本体２は、図１に示すように、上部開口３より容器底部４が小径となる逆円錐台状のカップ形状に形成される。この形状により、利用者は容器本体２を片手で容易に把持することが可能となる。そのため、テイクアウト形式の飲料販売に好適である。また、図２に示すように、上部開口３の外縁には折り返し形状のフランジ部５が形成されている。
【００２２】
蓋体１０は、容器本体２の上部開口３を封止する部材であり、図１〜３に示すように、蓋本体１１と、円形凹部２０と、ストロー差込部３０とからなる。蓋本体１１は、容器本体２の上部開口３を被覆する円形の天面部１２と、天面部１２の外周縁に垂設されて容器本体２のフランジ部５と嵌着される嵌着部１３とを備える。
【００２３】
円形凹部２０は、図１〜４に示すように、蓋本体１１の天面部１２表面から下方へ凹状に突出して設けられた部位であり、凹部開口２１が凹部内底面２２より大きく形成された逆円錐台状の凹部空間２５を有する。円形凹部２０は、ストローＳのための挿入開口部であり、図４（ａ）に示すように、ストローＳが凹部空間２５内へ挿入された際に凹部内壁部２３によりストローＳの挿入方向は規制され、後述するストロー差込部３０へストローＳは効率よく案内される。また、円形凹部２０は、ストローＳの差込時に、ストローＳの傾倒を規制して略垂直状態に支持する。
【００２４】
凹部開口２１の直径Ｒ１及び凹部内底面２２の直径Ｒ２は、使用されるストローＳの直径に対応して好適に決定される。特に凹部開口２１の直径Ｒ１は、ストローＳを凹部空間２５内へ挿入しやすくなるように、ストローＳの直径（外直径）よりも大きく形成される。ただし、ストロー差込時にストローＳが傾倒し過ぎないようにするために、凹部開口２１の直径Ｒ１は過剰に大きく形成されない。一方、凹部内底面２２の直径Ｒ２は、ストローＳを後述のストロー差込部３０へ適切に案内可能とするために、ストローＳの直径と同じまたはわずかに大きく形成される。そこで円形凹部２０では、図５に示すように、凹部空間２５の凹部開口２１の直径Ｒ１と凹部内底面２２の直径Ｒ２との差が２ｍｍ（Ｒ１−Ｒ２＝２ｍｍ）に形成されている。従って、凹部開口２１の直径Ｒ１は、ストローＳの直径よりも大きく、かつ、過剰に大きくならないように形成される。これにより、円形凹部２０（凹部空間２５）に対してストローＳは挿入されやすく、かつ、ストローＳの傾倒は適切に規制される。
【００２５】
また、円形凹部２０では、図４（ａ）に示すように、凹部空間２５の深さＤが２ないし１０ｍｍに構成されている。凹部空間２５の深さＤが２ｍｍより浅い場合、ストローＳのストロー差込部３０への案内や傾倒の規制は不十分となる。凹部空間２５の深さＤが１０ｍｍより深い場合、円形凹部２０が下方へ突出しすぎて内容物の充填時に液面に接触しやすくなったり液中に浸かってしまったりするおそれがある。
【００２６】
ストロー差込部３０は、図１ないし５に示すように、円形凹部２０の凹部内底面２２に形成され、未使用時に封止状態とされるとともに、ストローＳの押し込みにより開放されて容器本体２内へのストローＳの差し込みを可能とする部位である。このストロー差込部３０は、押切予定部３１と、接続部３６とからなる。
【００２７】
押切予定部３１は、図４，５に示すように、ストローＳの押し込みにより凹部内底面２２にストローＳが挿通可能な挿通孔３５を形成するように開放される部位であり、レーザー光線のハーフカット加工による易開封部３２よりなる。
【００２８】
易開封部３２は、図４に示すように、凹部内底面２２に対するストローＳの押し込みにより容易に破断（押し切り）されるようにハーフカット状に切り込まれた部位である。この易開封部３２は、公知のレーザー加工装置によりレーザー光線が照射されて形成される。なお、ハーフカット加工のためのレーザー光線は、凹部内底面２２の表面側または裏面側のいずれに照射してもよい。
【００２９】
レーザー光線の照射に際しては、レーザー光線の変動や合成樹脂シート等の加工上の条件精度により、合成樹脂シートの残存肉厚が部分的に０ｍｍとなることがある。しかしながら、蓋体１０が合成樹脂シート製であることから、このような残存肉厚０ｍｍ部位にあってもレーザー加工時の熱により密着ないし合接されていて、これにより内容物の液漏れを生ずることはないことが確認された。本発明のハーフカット加工（部）とはこのような合成樹脂シートの残存肉厚が部分的に０ｍｍのものを含むものである。ちなみに、実験によれば、このようなシートの残存肉厚が０ｍｍないし極めて薄い部位は、かえって、易開封部３２の開封容易性を高め、ハーフカット全体の２割以上８割程度存在したほうが使用時の押し切り感がよいことが確認された。
【００３０】
接続部３６は、図４〜６に示すように、押切予定部３１と連接する非ハーフカット部３７によって形成された部位である。この接続部３６は、押切予定部３１が破断により開放された際に、破断されずに押切予定部３１を円形凹部２０に繋ぎ止める。これにより押切予定部３１の円形凹部２０からの脱落は防止される。なお、非ハーフカット部３７は、易開封部３２のレーザー加工に際して、レーザー加工が行われない部分に相当する。
【００３１】
実施形態のストロー差込部３０では、図５に示すように、押切予定部３１の形状が略円形状に形成されている。この押切予定部３１の易開封部３２の形状は、図示のように真円状に形成されているわけではなく、一部が非ハーフカット部３７（接続部３６）として欠損した形状である。そのため、押切予定部３１の開放により形成される挿通孔３５の形状は、図６に示すように略円形状（円弧状）となる。なお、図示の易開封部３２の形状は、中心角が約２８０度の円弧状である。
【００３２】
また、略円形状の押切予定部３１（易開封部３２）の直径Ｒ３はストロー差込部３０の直径に相当し、図５に示すように、ストロー径Ｒｓの大きさと同じまたはわずかに大きい径である。すなわち、押切予定部３１の直径Ｒ３は、図６に示すように、開放により形成される挿通孔３５の直径Ｒ４にも相当し、少なくともストローＳが挿通可能な大きさに形成される。そして、挿通孔３５の直径Ｒ４がストロー径Ｒｓと同じまたはわずかに大きいことから、差し込まれたストローＳは挿通孔３５の内周に当接または近接される。そのため、ストローＳの垂直状態が維持しやすくなるとともに、ストローＳが抜けにくくなる。なお、押切予定部３１の直径Ｒ３がストロー径Ｒｓに対して大きすぎると、ストローＳが抜けやすくなって不便である。
【００３３】
さらに、実施形態では、図５に示すように、凹部空間２５の凹部内底面２２の直径Ｒ２とストロー差込部３０（押切予定部３１）の直径Ｒ３との差が２ｍｍ以下（Ｒ２−Ｒ３≦２ｍｍ）である。すなわち、凹部内底面２２の全面または凹部内底面２２の一部をわずかに残した大部分がストロー差込部３０として開放可能とされている。そのため、差し込まれたストローＳは、常時円形凹部２０の凹部内壁部２３と近接状態となる。これにより、ストローＳの傾倒は効果的に抑制される。
【００３４】
ストロー差込部３０において、押切予定部３１の形状は上記略円形状に限定されるものではなく、ストローＳを垂直状態に差し込むことが可能な適宜の形状とすることができる。図７は、押切予定部３１の形状のバリエーションを表している。
【００３５】
図７（ａ）に示す押切予定部３１Ａは、略Ω形状の易開封部３２Ａを有する例である。略Ω形状の易開封部３２Ａは、略円形状の一部が欠損した円周部３３ａと、円周部３３ａの両端部に連接する直線部３４ａとを有する。この押切予定部３１Ａでは、直線部３４ａの下端部が非ハーフカット部３７による接続部３６となる。そのため、押切予定部３１Ａの開放の際には、直線部３４ａに相当する部分も開放され、円周部３３ａの円弧状の欠損部分にも空間が形成される。これにより、ストローＳをより円滑に差し込むことができる。
【００３６】
図７（ｂ）に示す押切予定部３１Ｂは、略十字形状の易開封部３２Ｂを有する例である。略十字形状の易開封部３２Ｂは、直線状に形成された縦線部３３ｂと、縦線部３３ｂと交差する直線状に形成された横線部３４ｂとを有する。この押切予定部３１Ｂでは、縦線部３３ｂと横線部３４ｂの各端部間が非ハーフカット部３７による接続部３６となる。押切予定部３１Ｂにあっては、極めて簡易な形状であるため、形成が容易である。なお、この例では２本の直線状の易開封部３３ｂ，３４ｂを交差させて略十字形状に構成したが、直線状の易開封部の本数は２本に限らず、３本や４本等の適宜の本数を交差させてもよい。
【００３７】
以上図示し説明したように、本発明の飲料用容器の蓋体１０は、蓋本体１１の表面に凹部内底面２２にストロー差込部３０が形成された逆円錐台状の円形凹部２０が形成されている。これにより、ストローＳは、円形凹部２０の形状に沿ってストロー差込部３０へ案内されるため、ストロー差込部３０への差し込みを失敗する（外す）ことなく、的確に差し込むことが可能となる。
【００３８】
また、ストロー差込部３０は、レーザー光線の照射によるハーフカット加工の易開封部３２によって形成された押切予定部３１と、該押切予定部３１と連接する非ハーフカット部３７によって形成された接続部３６とからなる。易開封部３２が非貫通状態であることから、未使用時に内容物がストロー差込部３０から液漏れすることがない。さらに、ストロー差込部３０は、接続部３６を有することにより、押切予定部３１が開放された場合でも円形凹部２０から脱落することがない。
【産業上の利用可能性】
【００３９】
以上の通り、本発明の飲料用容器の蓋体では、ストロー差込部が非貫通状態の易開封部であるため未使用時の液漏れがなく、円形凹部によりストローを的確に差込することができる。従って、テイクアウト形式の飲料の容器に最適であり、従来のテイクアウト販売用の飲料用容器の代替となり得る。
【符号の説明】
【００４０】
１      飲料用容器
２      容器本体
３      上部開口
４      容器底部
５      フランジ部
１０    蓋体
１１    蓋本体
１２    天面部
１３    嵌着部
２０    円形凹部
２１    凹部開口
２２    凹部内底面
２３    凹部内壁部
２５    凹部空間
３０    ストロー差込部
３１    押切予定部
３２    易開封部
３５    挿通孔
３６    接続部
３７    非ハーフカット部
Ｄ      凹部空間の深さ
Ｒ１    凹部開口の直径
Ｒ２    凹部内底面の直径
Ｒ３    押切予定部の直径
Ｒ４    挿通孔の直径
Ｒｓ    ストロー径
Ｓ      ストロー
【図１】
2017114514.tif 000003
【図２】
2017114514.tif 000004
【図３】
2017114514.tif 000005
【図４】
2017114514.tif 000006
【図５】
2017114514.tif 000007
【図６】
2017114514.tif 000008
【図７】
2017114514.tif 000009